(57)【要約】【課題】防水型の中継コネクタの小型化を図るとともに、良好な防水性能を得ることを目的とする。【解決手段】それぞれケーブル線を結線したプラグとソケットとを同軸電気接続する防水型の中継コネクタであって、プラグハウジング又は／及びソケットハウジングは筒状の端子装着部を有し、前記端子装着部の後端部内に、端子に結線したケーブル線の被覆部が挿入されていない状態で、前記端子装着部とケーブル線の被覆部との外周部を覆うようにブッシュを装着したことを特徴とする。【選択図】  図１
2011086511.tif 000002
【特許請求の範囲】
【請求項１】
それぞれケーブル線を結線したプラグとソケットとを同軸電気接続する防水型の中継コネクタであって、
プラグハウジング又は／及びソケットハウジングは筒状の端子装着部を有し、前記端子装着部の後端部内に、端子に結線したケーブル線の被覆部が挿入されていない状態で、前記端子装着部とケーブル線の被覆部との外周部を覆うようにブッシュを装着したことを特徴とする防水型の中継コネクタ。
【請求項２】
ブッシュを外周部から締め付けるカバー部材を有することを特徴とする請求項１記載の防水型の中継コネクタ。
【発明の詳細な説明】
【技術分野】
【０００１】
本発明は、太陽電池モジュール（ソーラーパネル）等の接続に用いる防水型の中継コネクタに関する。
【背景技術】
【０００２】
従来の防水型の中継コネクタにあっては、特許文献１や図６に示すようにプラグ端子２４やソケット端子１４の後端部をケーブルの芯線に圧着接続したものをハウジング１１１，１２１内に装着し、ハウジングの後端部１１２，１２２とその内側に挿入したケーブル被覆部２ａ，２ｂとの境目をブッシュ３０にてシールするものであった。
この場合にケーブル線の被覆部がハウジングの後端部１１１，１２１の内側に差し込まれるようにして、端子がハウジング内に装着される構造になっているので、ハウジングの端子装着部の外径が大きくならざるを得ず、コネクタの小型化を図るのに阻害要因となっていた。
また、上記ハウジングの後端部とケーブルの被覆部の境目に大きな段差ができるので、ブッシュ３０としてこの段差を吸収できるものが必要となるために、防水性が低くなる恐れがある。
【先行技術文献】
【特許文献】
【０００３】
【特許文献１】特開２００８−１３０４６２号公報
【発明の概要】
【発明が解決しようとする課題】
【０００４】
本発明は、防水型の中継コネクタの小型化を図るとともに、良好な防水性能を得ることを目的とする。
【課題を解決するための手段】
【０００５】
本発明に係る防水型の中継コネクタは、それぞれケーブル線を結線したプラグとソケットとを同軸電気接続する防水型の中継コネクタであって、プラグハウジング又は／及びソケットハウジングは筒状の端子装着部を有し、前記端子装着部の後端部内に、端子に結線したケーブル線の被覆部が挿入されていない状態で、前記端子装着部とケーブル線の被覆部との外周部を覆うようにブッシュを装着したことを特徴とする。
これによりケーブル線の被覆部を剥し、プラグ端子又はソケット端子と結線した際に生じる被覆端部がプラグ又はソケットのハウジングの端子装着部の後端部内に挿入されていない状態、即ち、ケーブル線の被覆端面と端子装着部の後端面が向き合った状態でその外周部にブッシュを装着することになる。
【０００６】
また、本発明に係るコネクタは、ブッシュを外周部から締め付けるカバー部材を有するようにしてもよい。
【発明の効果】
【０００７】
本発明に係るコネクタは、プラグハウジング又は／及びソケットハウジングの筒状の端子装着部の後端部と、端子に結線したケーブル線の被覆部端部とを突き合せた状態あるいは概ね突き合うように近接させた状態で、その外周部を覆うようにブッシュを装着した構造を採用したことにより、ハウジングの端子装着部の内径寸法を小さく抑えることができ、コネクタの小型化を図るのに有効である。
また、ハウジングの端子装着部の後端部外径とケーブル被覆部外径との段差が従来よりも小さくなるので、それに応じて、ブッシュの外周に生じる段差も小さくなり、カバー部材等にてブッシュを均一に締め付けやすくなる。
【図面の簡単な説明】
【０００８】
【図１】本発明に係る防水型中継コネクタの縦断面構造例（係合部に対して垂直方向）を示し、（ａ）は接続前で（ｂ）は接続後を示す。
【図２】防水型中継コネクタの横断面構造例（係合部に対して水平方向）を示す。
【図３】プラグのケーブル結線構造例を示す。  （ａ）はプラグ端子をランス係止する前で（ｂ）はランス係止後を示す。  （ｃ）はブッシュ及びカバー部材を取り付けた状態を示す。
【図４】ソケットのケーブル結線構造例を示す。  （ａ）はソケット端子のランス係止前で（ｂ）はその係止後を示す。  （ｃ）はブッシュ及びカバー部材を取り付けた状態を示す。
【図５】コネクタの外観図を示し、（ａ）は側面視（係合部を上下に配置し、外カバー部材側から見た状態）（ｂ）は平面視（係合部を上から見た状態）を示す。
【図６】従来のコネクタの例を示す。
【発明を実施するための形態】
【０００９】
本発明に係る中継コネクタ１をソーラーパネルをつなぐ防水型中継コネクタに適用した例を図１に示し、図２及び図３にプラグハウジング及びソケットハウジングの後端部の拡大図を示す。
本実施例では、ソケット１０とプラグ２０との一方であるソケット１０のソケットハウジング１１に係合突部１３を形成し、プラグハウジング２１に係合凹部２３を設けた例になっているが、この逆の組み合せでもよい。
【００１０】
ソケット１０は、樹脂で成形した絶縁性のソケットハウジング１１の本体部１２は筒状になっていて、その内部にランス１４ａでランス係止したソケット端子１４を配設し、ケーブル芯線２と圧着端子等で接続されたケーブル被覆部２ａの端部とこの筒状の後端部１２ａが突き当たるように配設され、そのつなぎ部はゴム製等のチューブ状のブッシュ３０を装着し、防水を図っている。
従って、後端部１２ａの内径はケーブル被覆部２ａの外径より小さい。
なお、ソケット端子１４はランス係止するので、ケーブル被覆部２ａの端部と前記筒状の後端部１２ａが突き当たるようにとは、ランス係止後にケーブル被覆部が少し後退し、突き当たり部に少し隙間ができる場合も含む。
また、ブッシュ３０の外側は、断面略コ字形状の外カバー部材４１と内カバー部材４２とを左右から対向して係止部４２ａで嵌合係止した例となっている。
外カバー部材４１と内カバー部材４２は、例えば図５に示すように係止部４２ａで相互に嵌合係止する際に、ブッシュ３０を外側から締め付けるようになっている。
また、ソケットハウジング１１の筒状の本体部１２の外周部にはＯリング５０を配設し、プラグハウジング２１の筒状の内側でシールする構造になっている。
ソケットハウジングの本体部１２からは、図１で説明すると上側と下側にそれぞれ係合突部１３を有する。
係合突部１３は、プラグ側（係合側）に突出した片部になっていて、プラグハウジング２１は、この片部の先端係止部を係合するための水平方向に貫通した係合凹部２３を有する。
【００１１】
プラグ２０は、筒状（樹脂製）のプラグハウジング２１の内部にランス２４ａでランス係止したプラグ端子２４を有し、プラグ端子２４はケーブル芯線２に接続されている。
このプラグ端子２４を挿入装着した筒状の後端部２２ａはその内径がケーブル被覆部２ｂの外径より小さく、ケーブル被覆部２ｂの端部がプラグハウジングの２１の後端部２２ａに突き当たるようになっていて、このつなぎ部はゴム製のブッシュ３０で覆い、その外側は、ソケット側と同様に外カバー部材４１と内カバー部材４２とで防水の向上を図っている。
【符号の説明】
【００１２】
１        中継コネクタ
２ａ      ケーブル被覆部
１０      ソケット
１１      ソケットハウジング
１２      本体部
１２ａ    後端部
１４      ソケット端子
２０      プラグ
２１      プラグハウジング
２２      本体部
２２ａ    後端部
２４      プラグ端子
３０      ブッシュ
４１      外カバー部材
４２      内カバー部材
【図１】
2011086511.tif 000003
【図２】
2011086511.tif 000004
【図３】
2011086511.tif 000005
【図４】
2011086511.tif 000006
【図５】
2011086511.tif 000007
【図６】
2011086511.tif 000008